(57)【要約】【課題】現在、家庭の様々な電気製品もネットワークに対応しはじめている。この電気製品のもつ表示画面を利用し、効率よく情報の配信を行うシステムを提供する。【解決手段】ローカルネットワーク内の端末装置１０１ｘにおいて、その表示画面が端末自身の動作に使用されていないとき、端末装置１０１ｘは、自己の表示画面の機能情報と配信要求を含むメッセージ１０２を通信制御装置１０３に通知する。メッセージ１０２を受けた通信制御装置１０３は、情報配信装置１０４にアクセスし、配信情報の送信を受ける。そして、通信制御装置１０３は、受信した配信情報を配信要求元端末装置１０１ｘの表示機能に適合した配信情報に変更し、これを当該端末装置１０１ｘに送信する。端末装置１０１ｘは、配信情報を受け取ると、これを画面上に表示する。【選択図】    図１
2004178330.tif 000002
【特許請求の範囲】
【請求項１】
配信情報を受信して表示する端末装置において、
情報を表示するための表示手段と、
前記表示手段の機能を示す機能情報を外部装置に送信する第１の送信手段と、
前記表示手段の使用状態を監視し前記表示手段に前記配信情報を表示することが可能か識別する識別手段と、
前記識別手段の識別結果を外部装置に送信する第２の送信手段と、
前記第２の送信手段からの送信に応じて外部装置から受信した前記機能情報に従った配信情報を前記表示手段に表示するよう制御する制御手段と、
を有することを特徴とする端末装置。
【請求項２】
請求項１において、
前記第１の送信手段は、前記機能情報を生成しこれを記憶する手段を備えることを特徴とする端末装置。
【請求項３】
請求項１または２において、
前記制御手段は、前記配信情報を表示している際に当該端末装置の動作に伴って前記表示手段が使用されることとなったとき、前記配信情報の表示を遮断して当該端末装置の動作に伴う情報を表示手段に表示させる
ことを特徴とする端末装置。
【請求項４】
請求項１ないし３の何れかにおいて、
前記第１の送信手段によって送信される機能情報と、第２の送信手段によって送信される識別結果は、同一のメッセージに組み込まれて、外部装置に送信される
ことを特徴とする端末装置。
【請求項５】
情報配信サーバから受信した配信情報を端末装置に送信する通信制御装置において、
前記情報配信サーバと通信を行う第１の通信手段と、
前記端末装置と通信を行う第２の通信手段と、
前記第２の通信手段を介して受信した前記端末装置の表示機能に関する情報を記憶する記憶手段と、
前記第２の通信手段を介して受信した前記端末装置からの情報に基づいて前記端末装置の表示手段に前記情報配信サーバからの配信情報を表示することが可能かを判別する判別手段と、
前記判別手段によって表示可能であると判別されたことに応じ前記第１の通信手段を介して前記情報配信サーバに配信要求を送信する配信要求手段と、
前記配信要求に応答して配信サーバから受信した配信情報を前記記憶手段に記憶された表示機能に適合するように変更し、これを前記第２の通信手段を介して前記端末装置に送信する情報送信手段と
を有することを特徴とする通信制御装置。
【請求項６】
請求項５において、
前記配信要求手段は、前記端末装置の表示機能に関する情報を情報配信サーバに送信すると共に当該表示機能に適合した配信情報の送信を要求し、
前記情報送信手段は、当該要求を受けて前記情報配信サーバから表示機能に適合した配信情報を受信したときは、当該受信した配信情報をそのまま前記端末装置に送信する、
ことを特徴とする通信制御装置。
【請求項７】
請求項５または６において、
前記情報送信手段は、表示可能な端末装置が複数あるときは、当該それぞれの端末装置に対する機能情報に適合するように配信情報を変更し、変更後のそれぞれの配信情報を該当する端末装置にそれぞれ送信する、
ことを特徴とする通信制御装置。
【請求項８】
情報配信サーバから受信した配信情報を端末装置に送信する通信制御装置において、
前記情報配信サーバと通信を行う第１の通信手段と、
前記端末装置と通信を行う第２の通信手段と、
前記第２の通信手段を介して受信した前記端末装置の表示機能に関する情報を記憶する記憶手段と、
前記第２の通信手段を介して受信した前記端末装置からの情報に基づいて前記端末装置の表示手段に前記情報配信サーバからの配信情報を表示することが可能かを判別する判別手段と、
前記判別手段によって表示可能であると判別されたことに応じ、当該端末装置の表示機能に適応した配信情報の配信要求を、前記第１の通信手段を介して、前記情報配信サーバに送信する配信要求手段と、
前記配信要求に応答して配信サーバから受信した配信情報を、前記第２の通信手段を介して、前記端末装置に送信する情報送信手段と
を有することを特徴とする通信制御装置。
【請求項９】
請求項５ないし８の何れかにおいて、
前記判別手段は、前記端末装置に対し配信情報の表示が可能かを問い合わせ、その応答によって、配信情報の表示の可否を判別する
ことを特徴とする通信制御装置。
【請求項１０】
請求項５ないし９の何れかにおいて、
前記配信要求手段は、すでに所定の端末装置との間で接続中の情報配信サーバがあるときは、当該情報配信サーバに対し配信要求を送信することを特徴とする通信制御装置。
【請求項１１】
請求項６ないし１２の何れかにおいて、
前記情報送信手段は、端末装置への配信の履歴を管理し、当該履歴より、端末装置の表示可能な時間を算出し、当該時間に表示することができるよう情報送信することを特徴とする通信制御装置。
【請求項１２】
外部装置からの配信要求を受けて、当該外部装置に所定の情報を配信する情報配信サーバにおいて、
前記外部装置と通信するための通信手段と、
配信情報を記憶する記憶手段と、
前記通信手段を介して受信した表示機能情報に適合する配信情報を生成する情報生成手段と、
前記情報生成手段によって生成した配信情報を、前記通信手段を介して、前記外部装置に送信する送信手段とを
有することを特徴とする情報配信サーバ。
【発明の詳細な説明】
【０００１】
【発明の属する技術分野】
本発明は、通信機能を有する通信端末装置と、ルータやＨＵＢの主要機能を有する通信制御装置とを利用して、インターネットを介した情報の配信を可能とする情報配信システムであり、特に一般家庭のネットワークに対応した家電製品などの端末装置で、広告配信や情報配信サービスを利用して画面を有効に活用することを可能とするものである。
【０００２】
【従来の技術】
情報の配信サービスは、たとえば、配信情報が広告である場合は、広告主の提供する商品の割引サービスを受けることができるような特典を受けたり、配信情報がニュースや天気予報といった情報である場合は、一定の料金を支払うといった手続きをとることにより行われる。
【０００３】
広告やニュース等といった情報の配信サービスを利用するには、ユーザの持つ携帯電話や、パソコン等の端末で、情報配信者から定期的に送られてくる情報を表示させて閲覧するプッシュ型と呼ばれる方法と、ユーザが希望する時に自ら情報配信サーバから情報をダウンロードして取得し閲覧するプル型と呼ばれる方法がある。
【０００４】
従来、情報を受け取るクライアントとして、プッシュ型では、電子メール、携帯電話メール、ＦＡＸ、スクリーンセーバー、専用ブラウザといったもの、プル型では、インターネットブラウザを利用して必要な情報を探し出すというもの、所定の番号に電話をかけて情報を聞き出したりＦＡＸで送ってもらうもの、などが主な手段として利用されている。
【０００５】
プッシュ型の配信の方法は、広告の配信に利用されることが多いが、インターネットを利用した広告に注目すると、バナー広告、メール広告、ポップアップ広告などといったものがある。バナー広告は、Ｗｅｂページ内の一部に企業名やキャッチフレーズを含んだ動画や静止画の長方形の画像を貼り付ける手法である。
【０００６】
メール広告は、電子メールのヘッダ部にテキストによる広告文やＷｅｂページのアドレスを表示する手段である。ポップアップ広告は、メインのブラウザとは別に小さなブラウザを自動的に開き、「Ｆｌａｓｈ」などの技術を使ってムービー形式の広告を見せる手法である。
【０００７】
しかし、上記いずれの表示方法も、画面の一部を広告表示に使うものであるので、広告情報を見るには、ユーザがＷｅｂページを閲覧中であったり、画面を使用しない間にスクリーンセーバーを立ち上げるというように、本来の表示内容を見るついでに広告情報を見るものであり、広告情報表示のための専用ブラウザが必要である上、ユーザが表示部を閲覧していることが前提となる。
【０００８】
一方、広告情報を効果的に表示する方法として、待ち時間を利用した広告の表示方法が提案されている。
【０００９】
特許文献１には、携帯電話の受信待ち時や接続中といった待ち時間を利用して、広告データベースから受信した広告を表示させる技術が示されている。
【００１０】
特許文献２には、Ｗｅｂサーバへのアクセス時間やＷｅｂサイト閲覧時の空き時間を利用して広告データを取込んで蓄積、表示させる技術が示されている。
【００１１】
特許文献３には、装置の起動や使用時間に発生する空白時間を利用して、希望する広告や連絡などを表示させる技術が示されている。
【００１２】
【特許文献１】
特開２０００−２６８０９０号公報
【００１３】
【特許文献２】
特開２００２−０２４６９６号公報
【００１４】
【特許文献３】
特開２００２−１３２６３１号公報
【００１５】
【発明が解決しようとする課題】
しかしながら、これらの方法はいずれも、装置自体の待機状態や空白時間に、広告等の情報を表示させるものであった。このため、情報の表示が可能な時間がかなり制限されていた。さらに、配信される情報が端末装置の表示画面に合わない場合、配信情報を効果的に表示することができなかった。
【００１６】
そこで本発明は、情報表示が可能な時間の制限を緩和し、かつ、端末装置において配信情報を良好に表示させ得る情報配信システムを提供することを課題とする。
【００１７】
【課題を解決するための手段】
本発明は、情報を表示する端末装置に、自己の表示画面の大きさや解像度等といった表示機能情報を保有せしめ、これを情報配信サーバやホームゲートウェイ（通信制御装置）等に通知して、これらの装置から当該端末装置の表示画面に適した情報の供給を受けるものである。
【００１８】
また、前記端末装置は、自己の表示画面が端末本来の動作に使用されているか否かを識別し、未使用であるとき、通信制御装置に対し情報配信の要求を発し、これに対応して送信された配信情報を、自己の画面に表示するものである。
【００１９】
このとき、前記通信制御装置は、上記のとおり、それぞれの端末装置の表示機能に応じた画像情報に配信情報を形式変換し、これを各端末装置に振り分けて配信する。
【００２０】
各請求項に係る発明の特徴は以下の通りである。
【００２１】
請求項１の発明は、配信情報を受信して表示する端末装置であって、情報を表示するための表示手段と、前記表示手段の機能を示す機能情報を外部装置に送信する第１の送信手段と、前記表示手段の使用状態を監視し前記表示手段に前記配信情報を表示することが可能か識別する識別手段と、前記識別手段の識別結果を外部装置に送信する第２の送信手段と、前記第２の送信手段からの送信に応じて外部装置から受信した前記機能情報に従った配信情報を前記表示手段に表示するよう制御する制御手段とを有することを特徴とする。
【００２２】
請求項２の発明は、請求項１に記載の端末装置であって、前記第１の送信手段は、前記機能情報を生成しこれを記憶する手段を備えることを特徴とする。
【００２３】
請求項３の発明は、請求項１または２に記載の端末装置であって、前記制御手段は、前記配信情報を表示している際に当該端末装置の動作に伴って前記表示手段が使用されることとなったとき、前記配信情報の表示を遮断して当該端末装置の動作に伴う情報を表示手段に表示させることを特徴とする。
【００２４】
請求項４の発明は、請求項１ないし３の何れかに記載の端末装置であって、前記第１の送信手段によって送信される機能情報と、第２の送信手段によって送信される識別結果は、同一のメッセージに組み込まれて、外部装置に送信されることを特徴とする。
【００２５】
請求項５の発明は、情報配信サーバから受信した配信情報を端末装置に送信する通信制御装置であって、前記情報配信サーバと通信を行う第１の通信手段と、前記端末装置と通信を行う第２の通信手段と、前記第２の通信手段を介して受信した前記端末装置の表示機能に関する情報を記憶する記憶手段と、前記第２の通信手段を介して受信した前記端末装置からの情報に基づいて前記端末装置の表示手段に前記情報配信サーバからの配信情報を表示することが可能かを判別する判別手段と、前記判別手段によって表示可能であると判別されたことに応じ前記第１の通信手段を介して前記情報配信サーバに配信要求を送信する配信要求手段と、前記配信要求に応答して配信サーバから受信した配信情報を前記記憶手段に記憶された表示機能に適合するように変更し、これを前記第２の通信手段を介して前記端末装置に送信する情報送信手段とを有することを特徴とする。
【００２６】
請求項６の発明は、請求項５に記載の通信制御装置であって、前記配信要求手段は、前記端末装置の表示機能に関する情報を情報配信サーバに送信すると共に当該表示機能に適合した配信情報の送信を要求し、
前記情報送信手段は、当該要求を受けて前記情報配信サーバから表示機能に適合した配信情報を受信したときは、当該受信した配信情報をそのまま前記端末装置に送信することを特徴とする。
【００２７】
請求項７の発明は、請求項５または６に記載の通信制御装置であって、前記情報送信手段は、表示可能な端末装置が複数あるときは、当該それぞれの端末装置に対する機能情報に適合するように配信情報を変更し、変更後のそれぞれの配信情報を該当する端末装置にそれぞれ送信することを特徴とする。
【００２８】
請求項８の発明は、情報配信サーバから受信した配信情報を端末装置に送信する通信制御装置であって、前記情報配信サーバと通信を行う第１の通信手段と、前記端末装置と通信を行う第２の通信手段と、前記第２の通信手段を介して受信した前記端末装置の表示機能に関する情報を記憶する記憶手段と、前記第２の通信手段を介して受信した前記端末装置からの情報に基づいて前記端末装置の表示手段に前記情報配信サーバからの配信情報を表示することが可能かを判別する判別手段と、前記判別手段によって表示可能であると判別されたことに応じ、当該端末装置の表示機能に適応した配信情報の配信要求を、前記第１の通信手段を介して、前記情報配信サーバに送信する配信要求手段と、前記配信要求に応答して配信サーバから受信した配信情報を、前記第２の通信手段を介して、前記端末装置に送信する情報送信手段とを有することを特徴とする。
【００２９】
請求項９の発明は、請求項５ないし８の何れかに記載の通信制御装置であって、前記判別手段は、前記端末装置に対し配信情報の表示が可能かを問い合わせ、その応答によって、配信情報の表示の可否を判別することを特徴とする。
【００３０】
請求項１０の発明は、請求項５ないし９の何れかに記載の通信制御装置であって、前記配信要求手段は、すでに所定の端末装置との間で接続中の情報配信サーバがあるときは、当該情報配信サーバに対し配信要求を送信することを特徴とする。
【００３１】
請求項１１の発明は、請求項６ないし１２の何れかに記載の通信制御装置であって、前記情報送信手段は、端末装置への配信の履歴を管理し、当該履歴より、端末装置の表示可能な時間を算出し、当該時間に表示することができるよう情報送信することを特徴とする。
【００３２】
請求項１２の発明は、外部装置からの配信要求を受けて、当該外部装置に所定の情報を配信する情報配信サーバであって、前記外部装置と通信するための通信手段と、配信情報を記憶する記憶手段と、前記通信手段を介して受信した表示機能情報に適合する配信情報を生成する情報生成手段と、前記情報生成手段によって生成した配信情報を、前記通信手段を介して、前記外部装置に送信する送信手段とを有することを特徴とする。
【００３３】
本発明の特徴は、以下に示す実施の形態の説明により更に明らかとなろう。
【００３４】
ただし、以下の実施の形態は、あくまでも、本発明の一つの実施の形態であって、本発明ないし各構成要件の用語の意義は、以下の実施の形態に記載されたものに制限されるものではない。
【００３５】
【発明の実施の形態】
以下、本発明の実施の形態について、図面を参照して説明する。
【００３６】
図１は、本発明の実施の形態を示すブロック図であり、関連機器の接続構成を示している。
【００３７】
端末装置１０１ｘ（ｘ＝１，２，３…Ｎ）は、ネットワークに接続する手段を持つ通信端末装置であり、液晶パネルなどの表示部を持った装置である。この表示部は通常、端末操作や時計表示、端末の状態表示等に用いられている。
【００３８】
本実施の形態では、端末装置１０１ｘの対象装置として、例えば、タッチパネル式の操作ディスプレイを持つネットワーク対応型オーブンレンジや、液晶表示画面を持つ電話機、また、インターネットテレビ等、主として家庭で用いられる、デジタル・ネットワーク家電と呼ばれる「ネットワークに接続することが可能でデジタル情報を扱う家電」が想定されている。しかし、端末装置１０１ｘの対象装置は、これらデジタル・ネットワーク家電に限られるものではなく、たとえば、パーソナル・コンピュータやＰＤＡ等、従来から通信を目的とする端末機器も広く含まれ得る。
【００３９】
これらの端末装置１０１ｘは、表示部の大きさや解像度といった表示機能の情報を記述した表示機能情報１０２ｘ（ｘ＝１，２，３…Ｎ）を保有している。また、通信制御装置１０３に有線または無線のローカル・ネットワークで接続されており、これと通信可能な状態にある。
【００４０】
通信制御装置１０３は、家庭内のローカル・ネットワークと外部ネットワークとの窓口となる、いわゆるホームゲートウェイとしての機能を持つ。さらに、外部インターネット網１０５と接続されており、これと通信可能な状態にある。
【００４１】
ここで、ホームゲートウェイとは、外部回線への接続の際のセキュリティ保持、様々なデータベースの保管、そして各デジタル・ネットワーク家電が持つ独自のプロトコルを吸収・変換し、統括的なコントロールを行うものである。前記端末装置１０１ｘがインターネット網１０５に接続する際は、この通信制御装置１０３を介して行うことになる。
【００４２】
インターネット網１０５には、情報を配信するための情報配信装置１０４が接続されている。この情報配信装置１０４は、上記通信制御装置１０３から配信要求を受けると、これに対し、たとえば広告情報等の情報を配信する。この情報配信装置１０４は、企業や個人がインターネット網へ情報を配信するために用いるサーバ機能を持ち、携帯電話やＰＤＡなどの情報を発信できる小型の機器も含まれる。
【００４３】
（第１実施例）
図２は、本発明の第１実施例における端末装置、通信制御装置および情報配信装置の構成を示すブロック図である。
【００４４】
図示の如く、端末装置１０１ｘは、表示部２０１、機能情報作成部２０２、機能情報格納部２０３、状態管理部２０４、通信制御部２０５、メイン処理部２０６から構成されている。
【００４５】
表示部２０１は、端末操作や時計表示、端末の状態表示等に用いられるものである。機能情報作成部２０２は、画面の画素数や表示できる文字数、文字コード、画像表示の可否や圧縮形式、画面に表示する情報の受信ポート番号等、自己の画面の表示機能に関する情報を、所定の書式（後述する）に基づきデータ化するものである。機能情報格納部２０３は、機能情報作成部２０２によって作成された表示機能情報を格納するメモリおよびデータベースである。
【００４６】
状態管理部２０４は、表示部の使用状況を監視し、画面が端末装置の通常動作に使用されているか否かを識別する。また、通常動作に使用されている場合であっても、例えば電話機のように、「通話中」あるいは「保留中」といったような、一定の表示がある程度の時間続くような状態であるかどうかをも識別する。  通信制御部２０５は、通信制御装置１０３に対し、情報の配信要求や表示機能情報を送信する。また、通信制御装置１０３から受信した情報に対して、これが端末動作に使用する情報であるか、配信情報であるかを識別し、その結果をメイン処理部２０６に出力する。メイン処理部２０６は、端末装置１０１ｘ内の全体的な動作に伴う処理の制御を行う。
【００４７】
上記配信要求の際に、端末装置１０１ｘから通信制御装置１０３に送信されるメッセージ１０２ｘの一例を、図５に示す。なお、このメッセージ１０２ｘは、端末装置１０１ｘから通信制御装置１０３に対し、上記表示機能情報と配信要求を同時に送信する際のものである。かかるメッセージの送信および返事の受信は、たとえば、ＳＩＰ等の通信制御プロトコルを用いて行われる。
【００４８】
図示の如く、メッセージ１０２ｘには、メッセージの種類、宛先情報、発信元情報、配信情報の受信ポート番号等、通信に必要な情報に加えて、画面領域サイズ、画像表示形式、文字表示形式、文字コード、表示種別など、端末装置１０１ｘの表示機能に関する情報が記述されている。
【００４９】
ここで、“メッセージの種類”には、“配信要求”や“機能情報”といったメッセージの内容を示す種類が記述される。“宛先情報”には、メッセージの送信先の情報が記述される。例えば、端末装置からメッセージを送信する場合には、相手先である通信制御装置のＩＰアドレス、ＭＡＣアドレス、またはブロードキャストアドレス等が記述される。“発信元情報”は、メッセージの送信元である端末装置１０１ｘまたは通信制御装置１０３に関する情報であり、ＩＰアドレスやＭＡＣアドレスが記述される。
【００５０】
また、“画面領域サイズ”には、画面の縦、横のピクセル数が記述される。さらに、“表示種別”には、「通話中：０」、「待機中：１」、「接続中：２」など、配信要求を出すときの端末の状態毎にユニークな値が記述される。この項目は、後述の如く、通信制御装置１０３内で当該端末装置の動作状態別に配信履歴をとり、これに基づいて当該端末装置の平均表示時間を算出する際に利用される。
【００５１】
また、“端末種別”には、端末装置の機能ジャンルが記述される。この項目は、例えば、オーブンレンジや冷蔵庫では「ｃｏｏｋｉｎｇ」、電話機やＦＡＸでは「ｔｅｌｅｐｈｏｎｅ」、エアコンでは「ａｉｒｃｏｎ」、パソコンやテレビでは「ＯＡ」等となる。この項目は、たとえば、ユーザによるジャンルの指定によって、当該端末装置のジャンルに関連する広告や新製品紹介、関連商品紹介等の情報を、当該端末装置に表示させたい場合に利用される。
【００５２】
また、この“端末種別”の情報は、配信情報をその端末種別、すなわち機能ジャンルに応じた効果的な表示方法やレイアウトに加工する場合に利用することもできる。
【００５３】
たとえば、通信制御装置１０３は、“端末種別”に記述された機能ジャンルに関連する情報を有する情報配信装置１０４にアクセスし、当該情報配信装置１０４から関連情報を受け取る。そして、この情報を、後述の如く、当該端末装置の表示画面に適した画面情報に加工し、これを当該端末装置に供給する。複数の関連情報を受信した場合、情報制御装置１０３は、たとえば、これらの情報（加工後）をサイクリックに端末装置に供給し、これら複数の関連情報を、端末装置において一定時間毎に切替え表示させる。これにより、ユーザは、当該端末装置１０１ｘの表示画面にて、関連する複数の情報を一度に見ることができるようになる。
【００５４】
なお、メッセージ１０２ｘを構成する各項目は、図５に示したものに限るものではなく、他に種々の変更が可能である。
【００５５】
図２に戻り、通信制御装置１０３は、機能情報処理部２１１、端末情報格納部２１２、配信情報処理部２１３、通信制御部２１４およびメイン処理部２１５から構成されている。
【００５６】
機能情報処理部２１１は、端末装置１０１ｘから受信したメッセージ１０２ｘを解析し、この内、表示機能情報を端末情報格納部２１２に記憶せしめる。さらに、受信したメッセージ１０２ｘに配信要求文（図５のＲＥＱＵＥＳＴ）が含まれていることに応答して、情報配信装置１０４に対して配信を要求するための情報を作成する。
【００５７】
なお、上記端末情報格納部２１２は、端末装置１０１ｘからの機能情報を端末装置毎に格納する領域に加え、さらに、当該端末装置から配信要求を受信した時刻（開始時刻）と、当該端末装置１０１ｘへの情報送信が停止した時刻（終了時刻）を、端末装置毎に区別して記憶する領域を備える。そして、機能情報処理部２１１は、一定期間経過毎に、端末情報格納部２１２に記憶された開始時刻と終了時刻の履歴を読み出し、これに基づいて、当該端末装置１０１ｘが配信情報を表示する平均時間を算出し、これを端末装置毎に区分して記憶する。
【００５８】
さらに、端末装置がどの状態の時に配信要求があったかを履歴として記憶させようとする場合には、さらに表示種別毎に区分して、前記平均時間を記憶させるようにしてもよい。
【００５９】
配信情報処理部２１３は、情報配信装置１０４から配信された情報を、端末情報格納部２１２に記憶されている当該端末装置１０１ｘの表示機能情報に従って適宜変換する。なお、情報配信装置１０４から配信される情報の形式とその加工については、後述する。
【００６０】
通信制御部２１４は、情報配信装置１０４に対し、情報の配信要求を送信し、また、受信した情報が端末装置１０１ｘの端末動作に使用する情報であるか、配信情報であるかを識別する。メイン処理部２１５は、通信制御装置１０３における処理全般を制御する。
【００６１】
情報配信装置１０４は、通信制御装置１０３より配信要求を受信し、その応答として、要求された情報を通信制御装置１０３に配信する。
【００６２】
ここで、情報配信装置１０４から配信される情報は、情報配信に適した所定の配信情報用形式となっており、通信制御装置１０３を経由することによって、配信要求のあった端末装置１０１ｘの表示機能に応じた形式に変換され得るものである。かかる配信情報用形式としては、たとえば、タグ情報などによって必要に応じて種々の大きさに情報を要約できるように定められた形式を採用することができる。情報配信装置１０４は、この形式に合うように、素となる情報を変換し、あるいは、素となる情報の一部を抽出して配信情報の作成を行う。
【００６３】
次に、第１実施例の形態における動作について、説明する。
【００６４】
まず、端末装置１０１ｘの動作について、図３のフローチャートを参照して説明する。
【００６５】
状態管理部２０４は、自身の持つ表示部２０１が現在使用可能であるかどうかを管理し（Ｓ３０１）、待機状態や表示内容が変化しない状態等、表示部が端末装置自身の通常処理に使用されていない状態である時、配信情報の表示が可能であると判断する（Ｓ３０２）。
【００６６】
状態管理部２０４が配信情報の表示が可能と判断すると、通信制御部２０５は、そのタイミングにおける表示機能情報を機能情報格納部２０３から読み出し、これと配信要求とを組み込んだ上記メッセージ１０２ｘを通信制御装置１０３に送信する（Ｓ３０４）。
【００６７】
かかるメッセージ１０２ｘに応答して通信制御装置１０３から配信される情報を通信制御部２０５が受け取ると（Ｓ３０５）、通信制御部２０５は、これを表示部２０１に転送する。これに応じて表示部２０１は、この情報を画面情報に変換し、当該配信情報を画面上に表示する（Ｓ３０６）。
【００６８】
ここで、通信制御装置１０３からの配信情報は、配信要求時にメッセージ１０２ｘ中に含まれる表示機能情報に従って、当該端末装置１０１ｘの画面に表示可能な大きさに変換されている。よって、表示部２０１は、受信した配信情報をそのまま表示画面に表示する処理を実行するのみでよい。
【００６９】
このようにして、表示部２０１に配信情報が表示されている間に、状態管理部２０４が端末自身の動作による表示を行うことを検知した場合、メイン制御部２０６は配信情報の表示を中断し端末動作による表示を優先させる（Ｓ３０３）。これにより、表示部２０１の表示は、配信情報の表示から、端末装置本来の動作に係る表示に切り換わる。
【００７０】
次に、端末装置１０１ｘからの配信要求を受信した際の通信制御装置１０３の動作について、図４のフローチャートを参照して説明する。
【００７１】
通信制御部２１４が端末装置１０１ｘから送信されたメッセージ（配信要求と表示機能情報）１０２ｘを受信すると（Ｓ４０１）、機能情報処理部２１１が、受信したメッセージ１０２ｘを解析し、この内、表示機能情報を端末情報格納部２１２に記憶せしめる。また、配信要求を受信した時刻を、開始時刻として端末情報格納部２１２に記憶せしめる。
【００７２】
次に、通信制御部２１４が、受信した配信要求を用いて、情報配信装置１０４に対する新たな配信要求を作成し（Ｓ４０２）、これを情報配信装置１０４に送信する（Ｓ４０３）。
【００７３】
これに応じて情報配信装置１０４から配信されてきた配信情報を、通信制御部２１４が受信すると（Ｓ４０４）、配信情報処理部２１３は、端末装置１０１ｘの表示機能情報１０２ｘに示された表示機能に合うように受信した配信情報を変更（加工）し（Ｓ４０５）、変更後の配信情報を通信制御部２１４を介して端末装置１０１ｘに送信する（Ｓ４０６）。
【００７４】
このとき、情報配信装置１０４から受信した配信情報が、端末装置１０１ｘの表示機能情報１０２ｘに示された表示機能に合ったものであれば、変更を行わずそのまま端末装置１０１ｘに送信する。
【００７５】
端末装置１０１ｘへの情報送信が終了（停止）したとき、その時刻を終了時刻として、端末情報格納部２１２に記憶せしめる。
【００７６】
尚、本実施例では、配信を要求する情報配信装置１０４として、一つの情報配信装置１０４のみを図示しているが、複数の情報配信装置を配信元とし得る場合は、このうちから任意に選ぶ、ジャンル情報に応じて選ぶ、または、ランダムに選ぶ等、適宜選択する形態となし得る。
【００７７】
なお、通信制御装置１０３から情報配信装置１０４への配信要求は、通信制御装置１０３に接続された複数の端末装置１０１ｘのうち、いずれか一つから配信要求を受信する毎に行われ、その都度、通信制御装置１０３は、配信元の情報配信装置１０４から配信情報を受信する。
【００７８】
かかる配信情報は、上記の如く、配信要求をした端末装置１０１ｘに配信されるが、この際、他の端末装置１０１ｘに表示可能なものがあれば、この端末装置にも当該配信情報を配信するようにしてもよい。かかる場合、配信情報は、当該他の端末装置に配信される際に、各端末装置の表示機能情報に応じたものに変更される。これにより、配信要求をした端末装置のみならず、その他の端末装置にも同時に配信情報を表示させることができ、表示効率を高めることができる。
【００７９】
また、通信制御装置１０３は、端末情報格納部２１２に格納した履歴情報を用いて、配信要求から情報送信終了までの時間の平均時間を求め、これを端末装置１０１ｘの表示可能な時間とみなし、端末装置１０１ｘへ配信する情報を、表示可能な平均時間に応じた情報、例えば、文字数やページ数等が制限された情報に加工することもできる。
【００８０】
また、端末装置１０１ｘの状態管理部２０４が、機器の各動作状態において、配信情報を表示することが可能な時間の履歴をとり、その履歴を用いて、配信情報を表示可能な平均時間を算出し、履歴と得られた平均時間から、自動的に配信要求を送信することもできる。
【００８１】
尚、上記実施例では、通信制御装置１０３に対して情報の配信を要求する場合、配信要求と表示機能情報とを一つのメッセージ１０２ｘとして構成し、これを送信するようにしたが、表示機能情報１０２ｘを、あらかじめ通信制御装置１０３に送信しておき、配信要求時には配信要求のみを送ることにしてもよい。
【００８２】
表示機能情報１０２ｘをあらかじめ通信制御装置１０３に送信する場合のメッセージの一例を図６（ａ）に示す。同図に示すように、本メッセージは、通信に必要な情報である宛先情報と発信元情報と表示機能情報等を含む。
【００８３】
このような場合、通信制御装置１０３は、接続された端末装置１０１ｘ全てから表示機能情報を受信し、受信した表示機能情報１０２ｘを端末情報格納部２１２に格納し、各端末装置から配信を要求されたとき、端末情報格納部２１２該当する端末装置１０１ｘの表示機能情報１０２ｘを読み出し、読み出した表示機能情報１０２ｘにしたがって配信情報を変更する。
【００８４】
また、配信を要求する場合の配信要求メッセージの一例を図６（ｂ）に示す。同図に示すように、本メッセージは、通信に必要な情報である宛先情報と発信元情報と配信要求等を含む。
【００８５】
（第２実施例）
次に、第２実施例の形態について説明する。
【００８６】
本実施例は、情報配信装置１０４が、第１実施例における通信制御装置１０３が有する、配信情報を端末装置１０１ｘの表示機能に合うように変更する機能を持つことを特徴とする。
【００８７】
したがって、本実施例は、上記第１実施例と一部において異なるものであり、ここでは、主に相違点に関してのみ説明することとする。なお、参照する図面に関し、第１実施例と同じ機能を持つブロックについては同じ番号を付してある。
【００８８】
図７は、本実施例の構成を示すブロック図である。
【００８９】
端末装置１０１ｘおよび通信制御装置１０３の主たる構成については、第１実施例と同じである。ただし、通信制御装置１０３から情報配信装置１０４に送信される配信要求には、配信要求元端末装置の表示機能情報が含められる。よって、この点において、通信制御装置１０３の機能情報処理部２１１の機能が、上記第１実施例とは相違している。
【００９０】
情報配信装置１０４は、配信情報管理部２２１、配信情報格納部２２２、配信状態管理部２２３、配信状態格納部２２４、通信制御部２２５、メイン処理部２２６から構成されている。
【００９１】
配信情報管理部２２１は、配信すべき情報を所定の形式にて出力する等、配信情報を管理する機能を備える。配信情報格納部２２２は、配信情報管理部２２１によって作成された配信情報を記憶するメモリまたはデータベースである。
【００９２】
配信状態管理部２２３は、情報の配信先の通信制御装置１０３の照会と、当該配信先に配信した情報量のカウントを行う。配信状態格納部２２４は、情報の配信先の通信制御装置１０３と、当該配信先に配信した報量など、配信に関わる履歴をまとめて記憶するメモリまたはデータベースである。
【００９３】
通信制御部２２５は、通信制御装置１０３からの配信要求を受信し、その応答として配信情報を送信する。メイン処理部２２６は、情報配信装置１０４における処理全般を制御する。
【００９４】
次に、第２実施例の動作について、説明する。
【００９５】
端末装置１０１ｘと通信制御装置１０３の間でなされる、配信要求、表示機能情報、配信情報の送受信については、第１実施例と同様である。以下、通信制御装置１０３と情報配信装置１０４の間でなされる処理について説明する。
【００９６】
まず、通信制御装置１０３の動作について、図８のローチャートを参照して説明する。
【００９７】
通信制御装置１０３の通信制御部２１４が端末装置１０１ｘから送信されたメッセージ（配信要求と表示機能情報）１０２ｘを受信すると（Ｓ４０１）、機能情報処理部２１１が、受信したメッセージ１０２ｘを解析し、このうち、表示機能情報を、端末情報格納部２１２に記憶せしめる。
【００９８】
次に、通信制御部２１４が、受信した配信要求と表示機能情報を用いて、情報配信装置１０４に対する新たな配信要求（当該端末装置からの表示機能情報を含む）を作成し（Ｓ４１１）、これを情報配信装置１０４に送信する（Ｓ４０３）。
【００９９】
通信制御部２１４が、情報配信装置１０４から配信要求に対応した配信情報を受信すると（Ｓ４０４）、配信情報処理部２１３は、受信した情報が端末装置１０１ｘの表示機能情報１０２ｘに示された表示機能に合うかどうか確認し（Ｓ４１２）、受信した配信情報をそのまま通信制御部２１４を介して配信要求元の端末装置１０１ｘに送信する（Ｓ４０６）。
【０１００】
次に、情報配信装置１０４の動作について、図９のフローチャートを参照して説明する。
【０１０１】
情報配信装置１０４内の通信制御部２２５が、通信制御装置１０３からの配信要求を受け取ると（Ｓ９０１）、配信状態管理部２２３は、配信要求情報に含まれる表示機能情報中の発信元情報１２０３等の項目と、配信状態格納部２２４に記憶されている配信先情報とを参照し、この通信制御装置に対し配信可能であるか（当該通信制御装置が配信先として登録されているか）を確認する（Ｓ９０３）。
【０１０２】
ここで、配信不可と判定されると、Ｓ９０６に進み、当該配信サービスを受けるのに事前の手続きを受ける必要があるかが判別される（Ｓ９０６）。そして、事前手続を受ける必要がなければ、Ｓ９０７に進み、配信状態格納部２２４に新たに当該通信制御装置１０３のデータを追加することによって配信サービスが可能となる。また、事前手続を受ける必要があれば、Ｓ９０８に進み、配信情報に代わって、手続きが完了していない旨のメッセージや手続き方法などの情報が、通信制御装置１０３に送信される。
【０１０３】
上記Ｓ９０３またはＳ９０６にて要求元通信制御装置１０３への配信が可能とされると、配信情報管理部２２１は、配信要求に含められた当該端末装置の表示機能情報に適合するように素情報を変更し、これを配信情報格納部２２２に格納する。しかる後、通信制御部２２５は、変更後の素情報（配信情報）を配信情報格納部２２２から読み出し、これを通信制御装置１０３に送信する（Ｓ９０４）。
【０１０４】
このとき、配信状態格納部２２４は、当該配信の情報量や配信開始および配信終了時刻等の履歴情報を、配信先端末装置１０１ｘに関連付けて、配信状態格納部２２４に、同時に記憶せしめる（Ｓ９０５）。
【０１０５】
配信状態格納部２２４に記憶された履歴情報は、課金の際に参照される。また、利用の有無や頻度をもとに、サービスを提供することもできる。
【０１０６】
（第３実施例）
次に、第３実施例について説明する。
【０１０７】
本実施例は、端末装置１０１ｘにおける表示部２０１の使用状況（表示状態）を、通信制御装置１０３から各端末装置１０１ｘに問い合わせるものである。したがって、本実施例の構成は、上記第１実施例の形態と一部において異なるものであり、ここでは、主に相違点に関してのみ説明することとする。なお、参照する図面に関し、第１実施例と同じ機能を持つブロックについては同じ番号を付してある。
【０１０８】
図１０は、本実施例の構成を示すブロック図である。上記第１実施例で示した図２に比べ、端末装置１０１ｘに状態応答部６０１を配し、また、通信制御装置１０３に状態問い合わせ部６１１を配した点のみ相違している。
【０１０９】
以下、端末装置１０１ｘおよび通信制御装置１０３の動作について説明する。
【０１１０】
端末装置１０１ｘの動作を表すフローチャートを図１１に示す。
【０１１１】
状態応答部６０１が、通信制御装置１０３から自己の表示部２０１の表示状態についての問い合わせを受ける（Ｓ７０１）と、状態管理部２０４は、その時点における自己の動作状態を把握し（Ｓ７０２）、表示部２０１が待機状態や静止表示状態等、端末装置１０１ｘ自身の通常処理に使用されていない状態である時、配信情報の表示が可能であると判断する（Ｓ７０３）。
【０１１２】
配信情報の表示が可能であるとき、通信制御部２０５は、情報の配信要求と自己の表示機能情報とを組み込んだメッセージ１０２ｘを、通信制御装置１０３に送信する（Ｓ７０５）。
【０１１３】
かかるメッセージ１０２ｘに応答して通信制御装置１０３から配信される情報を通信制御部２０５が受け取ると（Ｓ７０６）、通信制御部２０５は、これを表示部２０１に転送する。これに応じて表示部２０１は、この情報を画面情報に変換し、当該配信情報を画面上に表示する（Ｓ７０７）。
【０１１４】
上記Ｓ７０３において、配信情報の表示が可能でない場合にはＳ７０６の処理が実行される。このとき同時に、配信情報の表示が可能でないことを示すメッセージが端末装置１０１ｘから配信制御装置１０３に送信される。なお、Ｓ７０３からＳ７０６の動作は、上記図３におけるＳ３０２からＳ３０３の動作と同様である。
【０１１５】
次に、通信制御装置１０３の動作を表すフローチャートを図１２に示す。
【０１１６】
情報問合わせ部６１１は、定期的に端末装置１０１ｘに当該端末装置の動作状態の問い合わせを行う（Ｓ８０１）。これに応答して、端末装置１０１ｘからメッセージ（配信要求と表示機能情報）１０２ｘを通信制御部２１４が受信すると（Ｓ８０２）、機能情報処理部２１１は、受信したメッセージ１０２ｘを解析し、このうち、表示機能情報を端末情報格納部２１２に記憶する。
【０１１７】
通信制御部２１４は、受信した配信要求と表示機能情報を用いて、情報配信装置１０４に対する新たな配信要求を作成し（Ｓ８０４）、情報配信装置１０４に送信する（Ｓ８０５）。
【０１１８】
情報配信装置１０４から配信要求に対応する配信情報を通信制御部２１４が受信すると（Ｓ８０６）、配信情報処理部２１３は、端末装置１０１ｘの表示機能情報１０２ｘに示された表示機能に合うように受信した配信情報を変更し、変更済みの端末装置１０１ｘの表示機能にあった配信情報を通信制御部２１４を介して端末装置１０１ｘに送信する（Ｓ８０７）。
【０１１９】
上記において、配信情報の表示ができない場合には、たとえば、図１３（ａ）に示すようなメッセージが端末装置１０１ｘから通信制御装置１０３に送信される。これに対し、配信情報の表示が可能な場合には、上記実施例１と同様、図５に示すメッセージが端末装置１０１ｘから通信制御装置１０３に送信される。さらに、表示画面全体には表示できないがその一部には表示可能である場合等、文字の大きさや数を限定して表示を行う場合のメッセージとして、図１３（ｂ）に示すようなメッセージを端末装置１０１ｘから通信制御装置１０３に送信するようにしてもよい。
【０１２０】
図１３（ａ）に示す如く、配信情報を表示できない場合には、“画像表示形式”の項目１２０６に空白または“０”を記述する。また、図１３（ｂ）に示す如く、文字の大きさを限定するような場合には、“画像表示形式”の項目１２０６と、“文字コード”の項目１２０８に空白または“０”を記述し、さらに、“画面領域サイズ”の項目に、縦横サイズに代えて、同時に表示可能な文字数を記述する。
【０１２１】
なお、これら各メッセージを構成する各項目は、図１３に示したものに限るものではなく、他に種々の変更が可能である。
【０１２２】
このように、上記第１実施例では、端末装置１０１ｘが随時通信制御装置１０３に配信要求を出して配信情報を受信するのに対し、本実施例では、通信制御装置１０３が定期的に端末装置１０１ｘに表示可能かどうか状態を問い合わせ、その応答にもとづいて情報を配信するようにしたものである。
【０１２３】
（第４実施例）
次に、本発明の第４実施例の形態について説明する。
【０１２４】
図１４は、通信制御装置１０３の動作を表すフローチャートである。
【０１２５】
通信制御装置１０３は、端末装置１０１ｘからの配信要求を待ち（Ｓ１００１）、通信制御部２１４が端末装置１０１ｘから送信されたメッセージ（配信要求と表示機能情報）１０２ｘを受信すると、機能情報処理部２１１が、受信したメッセージ１０２ｘを解析し、このうち表示機能情報を端末情報格納部２１２に記憶する。
【０１２６】
次に、通信制御部２１４が、受信した配信要求を用いて、情報配信装置１０４に対する新たな配信要求を作成した（Ｓ１００２）後に、当該通信制御装置１０３に接続されている端末装置１０１ｘの中で、たとえば自己の端末装置機能のために、すでに所定の情報配信装置１０４と通信中の端末装置１０１ｘがあるか判断する（Ｓ１００３）。
【０１２７】
現在通信中の端末装置１０１ｘがある場合、通信制御装置１０３は、現在通信を行っている接続先である情報配信装置１０４に対して、配信情報の要求を送信する（Ｓ１００４）。他方、現在通信中の端末装置１０１ｘがない場合、通信制御装置１０３は、上記第１実施例と同様にして、配信要求先となる情報配信装置１０４を適宜選択し、これに対して、配信情報の要求を送信する（Ｓ１００７）。
【０１２８】
情報配信装置１０４から配信要求に対応した配信情報を通信制御部２１４が受信すると（Ｓ１００５）、配信情報処理部２１３は、端末装置１０１ｘの表示機能情報１０２ｘに示された表示機能に合うように配信情報を変更し、変更済みの配信情報を、通信制御部２１４を介して端末装置１０１ｘに送信する（Ｓ１００６）。
【０１２９】
このように、現在通信中である情報配信装置１０４に対し配信要求を行うことにより、自身の端末装置機能である通信と並行して異なる接続先に接続し通信することの負荷を軽減することができる。
【０１３０】
また、関連情報や新製品、関連製品の紹介情報が取得でき、広告効果を高めることができる。例えば、ネットワーク対応オーブンレンジが端末装置１０１ｘである場合に、この端末装置１０１ｘからメーカーが提供するＷｅｂサイトに接続して料理レシピのダウンロードを行っている際に、オーブンレンジの料理レシピの表示に空き時間が生じたタイミングで、当該端末装置１０１ｘから通信制御装置１０３に配信要求がなされると、接続中の当該Ｗｅｂサイトからオーブンレンジに関する新製品の広告やサポート情報を受信して、端末装置１０１ｘに表示させることができる。同様に、ネットワークに接続された洗濯機に、オーブンレンジのメーカーの広告を表示させることもできる。
【０１３１】
なお、本発明は上記実施の形態に制限されるものではなく、他に種々の変更が可能であることは言うまでもない。
【０１３２】
たとえば、上記実施の形態では、第１実施例と第２実施例とを区別して説明したが、これら２つの実施例の機能、処理を備えるように、通信制御装置１０３を構成するようにしてもよい。たとえば、通信制御装置１０３から情報配信装置１０４に送信する配信要求に表示機能情報を含めておき、情報配信装置１０４から表示機能情報に適合した配信情報が返送されてきたときは、これをそのまま端末装置１０１ｘに送信し、他方、表示機能情報に適合しない配信情報が返送されてきたときは、表示機能情報に適合するように配信情報を変更し、これを端末装置１０１ｘに送信するようにする。つまり、情報配信元の情報配信装置１０４が表示機能情報に適合した配信情報を作成・送信し得るかに応じて、受信した配信情報をそのまま端末装置１０１ｘに送信するか、表示機能情報に適合するように変更した後に端末装置１０１ｘに送信するかを切り替える機能を、通信制御装置１０３に有せしめる。これにより、情報配信装置１０４の選択の自由度を広げながら、より円滑に、配信情報を端末装置に供給できるようになる。
【０１３３】
さらに、上記実施の形態において、通信制御装置１０３が情報配信を要求する情報配信装置１０４の選択については特定していないが、端末装置側から通信相手を特定するようにしてもよい。例えば、その端末装置の製造元が提供する情報配信装置等を、自動的に配信情報の要求先情報配信装置とすることもできる。具体的には、指定したい配信情報要求先に関するＩＰアドレスやブロードキャストアドレス等の配信要求先情報を端末装置に記憶させておく。そして、図５のメッセージに「配信要求先指定」という項目を設け、この項目に要求先情報を付加する。端末装置１０１ｘが、通信制御装置１０３に対して当該メッセージを送信することにより、通信制御装置１０３は、接続すべき情報配信装置１０４が指示され、当該情報配信装置１０４に情報配信を要求する。これにより、端末装置が指定した情報配信装置から配信情報の提供をうけることができるようになる。
【０１３４】
また、情報配信装置等に接続を行う際に、通信制御装置１０３から端末装置に対し、その情報配信装置を配信要求先として登録するかどうか問い合わせるようにしてもよい。具体的には、この問い合わせをその端末装置の画面上に表示させ、ユーザに登録の要否の確認を促す。かかる表示を受けて、ユーザが端末装置に登録指示を入力すると、端末装置に当該情報配信装置のＩＰアドレス等（配信要求先情報）が記憶される。この配信要求情報は、たとえば上記の如く、この端末装置から配信要求先を特定する場合に、メッセージの「配信要求先指定」の項目に含められる。これにより、当該情報配信装置から優先的に配信情報の提供を受けることができるようになる。
【０１３５】
なお、上記実施の形態で示したネットワークは、無線および有線のどちらで構成されてもよい。
【０１３６】
さらに、上記実施の形態で示した配信情報は、広告の他、天気予報やニュースであってもよい。
【０１３７】
この他、本発明に係る実施の形態は、本発明の技術的思想の範囲内で、適宜変更することができる。
【０１３８】
【発明の効果】
本発明によれば、たとえば、家庭内の画面を持つ端末装置の通常動作時以外の空き時間に、配信情報を表示することにより、ユーザは日常生活の中で意識することなく、各種情報を取得することができる。
【０１３９】
また、配信情報は、端末装置の表示機能に適応したものに変更された後、端末装置に配信されるので、端末装置側では、配信を受けた情報をそのまま表示するだけでよい。
【０１４０】
また、どの端末装置で情報を閲覧しても、表示の仕方や表示内容の詳細さが異なるものの、何れも主要な部分は表示されるので、ユーザに対する配信情報の伝達は充足される。一の端末装置にて配信情報の要約を閲覧した後、さらに詳細を知りたい場合には、より詳細に配信情報を表示し得る端末装置を見ることにより、ユーザのニーズは充足される。
【０１４１】
このように、本発明によれば、端末装置の利用効率と配信情報の伝達効率を同時に向上させ得る情報配信システムを構築することができるようになる。
【図面の簡単な説明】
【図１】実施形態に係る情報配信システムの構成を示すブロック図
【図２】第１実施例における情報配信システムの機能ブロック図
【図３】第１実施例における端末装置の動作を示すフローチャート
【図４】第１実施例における通信制御装置の動作を示すフローチャート
【図５】実施形態に係るデータの記述形式とその一例を示す図
【図６】実施形態に係るデータの記述形式とその一例を示す図
【図７】第２実施例における情報配信システムの機能ブロック図
【図８】第２実施例における通信制御装置の動作を示すフローチャート
【図９】第２実施例における情報配信装置の動作を示すフローチャート
【図１０】第３実施例における情報配信システムの機能ブロック図
【図１１】第３実施例における端末装置の動作を示すフローチャート
【図１２】第３実施例における通信制御装置の動作を示すフローチャート
【図１３】実施形態に係るデータの記述形式とその一例を示す図
【図１４】第４実施例における通信制御装置の動作を示すフローチャート
【符号の説明】
１０１ｘ    端末装置装置
１０２ｘ    表示機能情報
１０３      通信制御装置
１０４      情報配信装置
２０１      表示部
２０２      機能情報作成部
２０３      機能情報格納部
２０４      状態管理部
２０５      通信制御部
２０６      メイン処理部
２１１      機能情報処理部
２１２      端末情報格納部
２１３      配信情報処理部
２１４      通信制御部
２１５      メイン処理部
【図１】
2004178330.tif 000003
【図２】
2004178330.tif 000004
【図３】
2004178330.tif 000005
【図４】
2004178330.tif 000006
【図５】
2004178330.tif 000007
【図６】
2004178330.tif 000008
【図７】
2004178330.tif 000009
【図８】
2004178330.tif 000010
【図９】
2004178330.tif 000011
【図１０】
2004178330.tif 000012
【図１１】
2004178330.tif 000013
【図１２】
2004178330.tif 000014
【図１３】
2004178330.tif 000015
【図１４】
2004178330.tif 000016